(57)【要約】【課題】デザイン性を大きく損なうことなく、またコストの増大を抑制して製造することができ、手を袖口に容易に抜き差しすることができるシャツの袖口構造を提供する。【解決手段】表側にボタン２１を備えた左部１１と、袖あき１３を挟んで対向する右部１２とを備えたシャツの袖口構造である。右部１２に伸縮可能なループ状のフック２２を備え、フック２２をボタン２１に係止することにより、係止した状態で袖口に手を通すことを可能とする。フック２２は、ゴム糸２３の両端を表裏２枚の生地と共に縫着することができる。【選択図】図２
0003234498.tif 000002
【実用新案登録請求の範囲】
【請求項１】
表側にボタンを備えた第一部と、前記第一部に対して袖あきを挟んで対向する第二部とを備えたシャツの袖口構造において、
前記第二部に伸縮可能なループ状のフックを備え、
前記フックを前記ボタンに係止することにより、係止した状態で袖口に手を通すことを可能とした構成を有することを特徴とするシャツの袖口構造。
【請求項２】
前記第一部と前記第二部とは袖口のカフス部の対向する左右の両端部であり、
前記カフス部は、表裏２枚の生地の周囲を縫い糸で逢着したものであり、
前記フックは、ゴム糸で構成され、前記ゴム糸の両端が前記縫い糸によって前記表裏２枚の前記生地と共に縫着されていることを特徴とする請求項１記載のシャツの袖口構造。
【請求項３】
前記第二部の表側に飾りボタンを備え、
前記フックが前記ボタンに係止されて前記フックが収縮した状態で、前記第二部の端部が前記ボタンに当接しているか前記ボタンと前記第一部との間に入り込んでいることにより、前記フックが外部から見えないように構成されたことを特徴とすることを特徴とする請求項１又は２に記載のシャツの袖口構造。
【請求項４】
前記第二部の表側に飾りボタンを備えたことを特徴とする請求項１〜３の何れかに記載のシャツの袖口構造。
【考案の詳細な説明】
【技術分野】
【０００１】
本考案は、シャツの袖口構造に関するものである。
【背景技術】
【０００２】
従来、シャツの袖口構造の改良としては特許文献１や２に示すものが提案されている。
【０００３】
特許文献１は、袖や襟のボタンを外したときの開口度を調節固定する器具を提案するもので、ダブルフランジ型（二重輪端型）飾りボタンと、それに連接する輪状鎖よりなる。使い方は、ダブルフランジ型飾りボタンのボタンを、既存のシャツのボタンホールに差し込み、輪状の鎖の反対側を既存のシャツのボタンに係着させることにより開口度を固定するものである。シャツの襟や袖のボタンを外したときにこの器具を上記の使い方によって取り付けることにより襟袖口の開口度を固定して安定化させることができる構造を開示する。
【０００４】
ところが、特許文献１の器具は、既存のボタンとボタンホールを備えたシャツに取り付けて使用することを前提としており、通常の形態でシャツを着脱する時には袖口の寸法が一定となってしまい、場合によってはボタンを外さなければ袖部の着脱をすることができない。また、既存のシャツに加えて用いる器具であるため、その器具の分だけ構造が複雑になり製造コストが増えてしまう。
【０００５】
特許文献２は、袖を備えた衣料であって、袖あきを挟んだ第一部にボタンが設けられ、第二部に開口したポケットが設けられ、前記ポケットには一方側がポケットの内部に固定された平ゴムが設けられたものを開示する。平ゴムの他方側は、前記ポケットの外部に延在し、前記平ゴムに形成された開口にボタンホールが設けられ、このボタンホールを第一部に設けられた前記ボタンに係止する構造が示されている。
【０００６】
特許文献２の構造では、ボタンホールを収納するポケットを、カフス部に縫製するためカフス部にその縫い糸が現れることが避けられず、また、平ゴムが見えてしまう恐れがありカフス部のデザインを低下させてしまう。しかも複雑な構造を備えたものである、縫製の手間が余分にかかるし、製造コストが増大してしまう。
【先行技術文献】
【特許文献】
【０００７】
【特許文献１】登録実用新案第3141128号公報
【特許文献２】特許第5934757号公報
【考案の概要】
【考案が解決しようとする課題】
【０００８】
本考案は、デザイン性を大きく損なうことなく、手を袖口に容易に抜き差しすることができるシャツの袖口構造を提供することを課題とする。
本考案は、手を袖口に容易に抜き差しすることができる構造を備えたシャツを製作するに際して、一般的なシャツと同様の縫製作業で行うことができ、コストの増大を抑制することができるシャツの袖口構造を提供することを課題とする。
【課題を解決するための手段】
【０００９】
本考案は、表側にボタンを備えた第一部と、前記第一部に対して袖あきを挟んで対向する第二部とを備えたシャツの袖口構造において、次の手段を備えたものを提供する。
本考案のシャツの袖口構造にあっては、前記第二部に伸縮可能なループ状のフックを備える。前記フックを前記ボタンに係止することにより、係止した状態で袖口に手を通すことを可能とした構成を有するものである。
【００１０】
本考案の実施に際しては、前記第一部と前記第二部とは袖口のカフス部の対向する両端部とすることができる。前記カフス部は、表裏２枚の生地の周囲を縫い糸で逢着したものであり、前記フックは、ゴム糸で構成され、前記ゴム糸の両端が前記縫い糸によって前記表裏２枚の前記生地と共に縫着されている構造とすることができる。
また本考案の実施に際しては、前記第二部の表側に飾りボタンを備えたものとすることもできる。
さらに、前記フックが前記ボタンに係止されて前記フックが収縮した状態で、前記第二部の端部が前記ボタンに当接しているか前記ボタンと前記第一部との間に入り込んでいることにより、前記フックが外部から見えないように構成することもできる。
【考案の効果】
【００１１】
本考案は、デザイン性を大きく損なうことなく、手を袖口に容易に抜き差しすることができるシャツの袖口構造を提供することができたものである。
本考案は、手を袖口に容易に抜き差しすることができる構造を備えたシャツを製作するに際して、一般的なシャツと同様の縫製作業で行うことができ、コストの増大を抑制することができるシャツの袖口構造を提供することができたものである。
【図面の簡単な説明】
【００１２】
【図１】本考案の実施の形態にかかるシャツの袖口の構造を示すもので、フックの収縮状態における正面図。
【図２】同実施の形態にかかるシャツの袖口の構造を示すもので、フックの伸長状態における正面図。
【図３】同実施の形態にかかるシャツの袖口の構造を示すもので、フックの伸長状態における要部拡大図。
【図４】同実施の形態にかかるフックの取り付け構造の断面説明図。
【考案を実施するための形態】
【００１３】
以下、図面を参照して本考案の実施の形態を説明する。
（シャツの袖口について）
この実施の形態に係るシャツの袖口１０は、長袖のカジュアルシャツの袖口であるが、ビジネスシャツなど他のシャツの袖口として実施することができる。
このシャツの袖口１０は、袖生地の先端に別生地のカフス部３０を設けたものとして実施されているが、カフス部３０を備えていないものにも本考案は適用することができる。
【００１４】
（カフス部について）
カフス部３０は、袖口を略一周するもので、一般的なカフスと同様表生地３１と裏生地３２との周囲が縫い糸３３によって装着されている（図４）。
以下、カフス部３０の周方向の一方側（この例では左側）の部位を第一部（この例では左部１１）とし、他方側（この例では右側）の部位を第二部（この例では右部１２）として説明する。
【００１５】
（第一部（左部１１）について）
左部１１には、その端部寄りにボタン２１が取り付けられている。この取り付け方法は、一般的なシャツと同様のボタン糸２４によって逢着するもので構わない。
【００１６】
（第二部（右部１２）について）
右部１２には、その端辺（左部１１に対して対向する辺）にフック２２が、取り付けられている。このフック２２は、ゴム糸２３で構成することができ、ゴム糸２３糸には、加硫ゴムなどの糸状の弾性長尺体を芯糸とし、その周囲を合成繊維糸や綿糸などの鞘糸で被覆したものを好適に用いることができるが、伸縮性を有してループを構成するように右部１２に取り付けることができるものであれば他の構造を備えたものであっても構わない。
【００１７】
このゴム糸２３は、図４に示すように、その両端をカフス部３０の表生地３１と裏生地３２との間に挟み込んで縫い糸３３によって縫着することにより、カフス部３０の右部１２の端部からループを構成して突出するように取り付けられて、フック２２となる。このフック２２は右部１２の表側や裏側に縫着して実施することもできるが、上記の構造にすることにより、ゴム糸２３の端部を隠すことができるし、カフス部３０の縫製と同時にフック２２を形成することができて余分な縫製工程を必要としない点で有利である。
【００１８】
なお、右部１２には飾りボタン２５設けても構わないし、この飾りボタン２５は左部１１に設けても構わない。また、ボタンホールや飾りホールを左部１１や右部１２に設けて実施しても構わない。
【００１９】
（シャツの着用）
着用に際しては、フック２２を左部１１のボタン２１に引っ掛けるようにして取り付ける（図３）。これによってボタン２１が通されたフック２２はボタン糸２４に係合して、左部１１と右部１２とは閉じられた状態となる（図１）。この状態で手を通すことにより、フック２２が伸びて手を楽に通すことができるし（図２）、手首の位置にカフス部３０が来ればフック２２が縮んで一般的なカフスと同じような外観を呈することができる（図１）。このようにフック２２がボタン２１に係止されてフック２２が収縮した状態では、右部１２の端部が左部１１の表地の上に重なって、ボタン２１に当接しているか或いはボタン２１の裏側と左部１１の表地との間に入り込んでいる状態となる。これにより、フック２２がボタン２２に隠されて外部から見えない状態となる。
シャツを脱ぐ時では、フック２２をボタン２１から外さなくても、フック２２が伸びるため、楽に手を抜くことができる（図２、図３）。
【００２０】
このように本考案のシャツの袖口１０は、デザイン性を大きく損なうことなく、手を袖口に容易に抜き差しすることができるものである。しかもシャツを製作するに際して、一般的なシャツと同様の縫製作業で行うことができ、製造コストの増大を抑制することができたものである。
【符号の説明】
【００２１】
１０  シャツの袖口
１１  第一部
１２  第二部
１３  袖あき
２１  ボタン
２２  フック
２３  ゴム糸
２４  ボタン糸
２５  飾りボタン
３０  カフス部
３１  表生地
３２  裏生地
３３  縫い糸
【図１】
0003234498.tif 000003
【図２】
0003234498.tif 000004
【図３】
0003234498.tif 000005
【図４】
0003234498.tif 000006